(57)【要約】【課題】  所要の強度や機能を維持しながら、よりコンパクトに構成することができる電子鍵盤楽器を提供する。【解決手段】  鍵盤１３を収容する本体ケース４を備える電子鍵盤楽器１であって、本体ケース４は、譜面台６６を挿入するための左右方向に延びる譜面台挿入溝６２ａを有する天板６２と、上下方向および左右方向に延び、上端部において天板６２と接合された壁板６３と、天板６２の下方に設けられるとともに左右方向に延び、譜面台挿入溝６２ａに挿入された譜面台６６を支持するための譜面台支持溝６４ａを有するとともに、天板６２と壁板６３の接合を補強するために、天板６２および壁板６３の双方に面接触した状態で固定された譜面台受け６４と、を有している。【選択図】  図２
2005284146.tif 000002
【特許請求の範囲】
【請求項１】
鍵盤を収容する本体ケースを備える電子鍵盤楽器であって、
前記本体ケースは、
譜面台を挿入するための左右方向に延びる譜面台挿入溝を有する天板と、
上下方向および左右方向に延び、上端部において前記天板と接合された壁板と、
前記天板の下方に設けられるとともに左右方向に延び、前記譜面台挿入溝に挿入された前記譜面台を支持するための譜面台支持溝を有するとともに、前記天板と前記壁板の接合を補強するために、前記天板および前記壁板の双方に面接触した状態で固定された譜面台受けと、
を有していることを特徴とする電子鍵盤楽器。
【請求項２】
前後方向に所定の間隔を隔てて配置され、左右方向にそれぞれ延びる口棒部および裏板と、
前記口棒部と前記裏板の間に配置され、前記所定の間隔よりも短い前後方向の長さを有し、前記口棒部および前記裏板の一方が固定された棚板と、
複数の鍵を有し、前記棚板の上方に設けられた鍵盤装置と、
前記口棒部と前記裏板の間にわたって延びるとともに、前記棚板の上面に取り付けられ、前記鍵の押鍵に伴って演奏音を生成するための単一の電子基板部と、
を備えていることを特徴とする電子鍵盤楽器。
【請求項３】
前記口棒部は、前記棚板に固定されていることを特徴とする請求項２に記載の電子鍵盤楽器。
【請求項４】
前記電子基板部は、後端部にコネクタ部を有し、
前記裏板には、前記コネクタ部の出没を許容する開口が形成されていることを特徴とする請求項３に記載の電子鍵盤楽器。
【請求項５】
上下方向に貫通する吸気孔が形成された棚板と、
複数の鍵を有し、前記棚板の上方に設けられた鍵盤装置と、
前記棚板の上面に取り付けられ、前記鍵の押鍵に伴って演奏音を生成するための電子基板と、
当該電子基板に設けられるとともに下端部が前記吸気孔に挿入され、前記電子基板から発生する熱を放熱するための放熱板と、
を備えていることを特徴とする電子鍵盤楽器。
【請求項６】
前記放熱板の前記下端部は、前記吸気孔に収容されており、
パンチングメタルによって構成され、前記棚板の下面に前記吸気孔を覆うように取り付けられた蓋部材をさらに備えていることを特徴とする請求項５に記載の電子鍵盤楽器。
【発明の詳細な説明】
【技術分野】
【０００１】
本発明は、電子鍵盤楽器に関し、特に、鍵盤を収容する本体ケースおよび演奏音を生成するための電子基板などの細部の構成に関する。
【背景技術】
【０００２】
従来の電子鍵盤楽器として、例えば特許文献１および２に開示されたものが知られている。特許文献１の電子鍵盤楽器は、左右の脚によって支持された本体を備えており、本体は、底板と、その両端部に設けられた左右の腕木と、底板の前端部および後端部にそれぞれ設けられた口棒および背面板とによって構成されたケースを有している。このケースの内部には、前側から順に、鍵盤、コントロールパネル、および背面板に固定された屋根（梁部材）が設けられており、これらは、両腕木の間にわたってそれぞれ延びている。
【０００３】
コントロールパネルは、金属の薄板によって構成され、所定の形状に折り曲げられており、屋根の前面との間に断面Ｖ字形の溝を形成した状態で、屋根の下面および左右の腕木に固定されている。この溝には、譜面台が、上方から挿入されることにより、着脱自在に取り付けられる。
【０００４】
一方、特許文献２の電子鍵盤楽器は、キャビネットを備えており、このキャビネット内には、その底板の上方に設けられた鍵盤と、両者の間に配置されたプリント基板などが配置されていて、プリント基板は、複数の取付けねじにより、前後端とキャビネットとの間に間隔を存した状態で、スペーサを介して底板に取り付けられている。また、鍵盤装置は、プリント基板の上方に配置された鍵盤シャーシに載置され、支持されている。このような構成によれば、プリント基板を、鍵盤シャーシが邪魔になることなくキャビネットに当たる直前まで前側に寄せて配置できることにより、電子鍵盤楽器の前後方向の長さが短縮され、その分、電子鍵盤楽器がコンパクトに構成される。
【０００５】
一方、図５は、従来の電子鍵盤楽器の一例を示している。この電子鍵盤楽器９０の楽器本体９１は、棚板９２と、その上方に配置された鍵盤装置９３と、棚板９２と鍵盤装置９３の間に配置され、演奏音を生成するための電子基板９４などを備えている。電子基板９４には、これから発生する熱を放熱するための放熱板９５が設けられており、鍵盤装置９３と棚板９２の間の間隔は、この放熱板９５の高さに応じて設定されている。
【０００６】
前述した特許文献１の電子鍵盤楽器には、以下のような問題がある。すなわち、この電子鍵盤楽器では、コントロールパネルおよび屋根によって譜面台用の溝が構成されており、前側のコントロールパネルが、金属の薄板で構成されている。このため、取り付けられた譜面台に外力が作用したとき、例えば、譜面台に譜面が立て掛けられた状態で、これに書き込みをするときなどに、コントロールパネル側の支持力が不足し、譜面台を支持できず、コントロールパネルの変形や破損が発生するおそれがある。
【０００７】
また、特許文献２の電子鍵盤楽器には、以下のような問題がある。すなわち、プリント基板の前後端とキャビネットの間に間隙が設けられていることにより、その分、電子鍵盤楽器が大型化してしまう。この不具合を回避するために、プリント基板の前後に間隙がないように設計すると、キャビネットが、例えば木質材で構成されている場合など、寸法や組立てに誤差が生じやすい場合には、誤差を吸収できず、プリント基板をキャビネット内に配置できなかったり、組立て後に、キャビネットの乾湿による伸縮などによって、プリント基板に応力が生じることで、これに悪影響を及ぼしたりするおそれある。
【０００８】
さらに、前述した従来の電子鍵盤楽器９０には、以下のような問題がある。所要の放熱効果を得るためには、放熱板９５にある程度の大きさが必要になる。このため、放熱板９５自体を小型化することは困難であるとともに、前述したように、放熱板９５は棚板９２と鍵盤装置９３の間に配置されていることにより、その分、電子鍵盤楽器９０が大型化してしまう。
【０００９】
本発明は、以上のような課題を解決するためになされたものであり、所要の強度や機能を維持しながら、よりコンパクトに構成することができる電子鍵盤楽器を提供することを目的としている。
【００１０】
【特許文献１】特開２００３−２４８４８０号公報  （第２，３頁、第１，３，４図）
【特許文献２】実公平７−１５０３２号公報  （第２頁、第２図）
【発明の開示】
【課題を解決するための手段】
【００１１】
この目的を達成するために、本発明の請求項１に係る発明は、鍵盤を収容する本体ケースを備える電子鍵盤楽器であって、本体ケースは、譜面台を挿入するための左右方向に延びる譜面台挿入溝を有する天板と、上下方向および左右方向に延び、上端部において天板と接合された壁板と、天板の下方に設けられるとともに左右方向に延び、譜面台挿入溝に挿入された譜面台を支持するための譜面台支持溝を有するとともに、天板と壁板の接合を補強するために、天板および壁板の双方に面接触した状態で固定された譜面台受けと、を有していることを特徴とする。
【００１２】
この電子鍵盤楽器によれば、天板と、上下方向および左右方向に延び、上端部において天板と接合された壁板とは、天板の下方において左右方向に延び、天板および壁板の双方に面接触した状態で固定された譜面台受けによって、両者の接合が補強されている。また、天板には、左右方向に延びる譜面台挿入溝が、譜面台受けには、譜面台支持溝が、それぞれ形成されており、譜面台は、譜面台挿入孔に挿入され、譜面台支持溝に支持された状態で、取り付けられる。
【００１３】
このような構成によれば、天板および壁板の接合の補強と、取り付けられた譜面台の支持を、譜面台受けによって行うことができる。すなわち、接合の補強部材および譜面台の支持部としての役割を、単一の譜面台受けが兼ねていることにより、これらを別個に設ける場合よりも、部品点数および組立て工数を削減することができ、製造コストを削減することができる。
【００１４】
また、譜面台受けは、天板および壁板の双方に面接触した状態で固定されるとともに、左右方向に延びているので、天板と壁板との接合強度、および譜面台の支持強度を十分に向上させることができる。さらに、このような十分な接合強度および支持強度が得られる結果、譜面台受けの前後方向の長さを短くすることも可能であり、それに応じて天板の前後方向の長さを短くすることによって、本体ケース、ひいては電子鍵盤楽器をコンパクトに構成することができる。
【００１５】
本発明の請求項２に係る発明は、前後方向に所定の間隔を隔てて配置され、左右方向にそれぞれ延びる口棒部および裏板と、口棒部と裏板の間に配置され、所定の間隔よりも短い前後方向の長さを有し、口棒部および裏板の一方が固定された棚板と、複数の鍵を有し、棚板の上方に設けられた鍵盤装置と、口棒部と裏板の間にわたって延びるとともに、棚板の上面に取り付けられ、鍵の押鍵に伴って演奏音を生成するための単一の電子基板部と、を備えていることを特徴とする。
【００１６】
この電子鍵盤楽器によれば、棚板の前後には、左右方向にそれぞれ延び、所定の間隔を隔てて口棒部および裏板が配置されており、これらのいずれかが、棚板に固定されている。また、棚板の前後方向の長さは、口棒部と裏板の間の所定の間隔よりも短く設定されている。また、棚板の上方には、複数の鍵を有する鍵盤装置が設けられており、棚板と鍵盤装置の間の空間には、鍵の押鍵に伴って演奏音を生成するための単一の電子基板部が、棚板の上面に設けられており、この電子基板部は、口棒部と裏板の間にわたって延びている。
【００１７】
このような構成によれば、棚板の前後方向の長さが、口棒部および裏板の間の間隔よりも小さいことにより、これらを組み立てたときに、口棒部および裏板のいずれかとの間に間隙が生じる。したがって、口棒部、裏板および棚板の寸法に誤差が生じたり、これらを組み立てる際に組付け誤差が生じたりしたとしても、上述した間隙により、誤差を吸収することができる。また、電子基板部が単一のものであるので、例えば、複数の基板を設けた場合と異なり、基板間を接続するための配線を省略することができ、その分、製造コストを削減することができる。
【００１８】
本発明の請求項３に係る発明は、請求項２に記載の電子鍵盤楽器において、口棒部は、棚板に固定されていることを特徴とする。
【００１９】
この電子鍵盤楽器によれば、口棒部は、棚板に固定されていることにより、各構成部品の寸法誤差や組付け誤差は、裏板と棚板の間の間隙によって吸収される。したがって、演奏者などの目に触れやすい前側の口棒部付近を、隙間なく構成することができるので、電子鍵盤楽器の外観を維持することができる。
【００２０】
本発明の請求項４に係る発明は、請求項３に記載の電子鍵盤楽器において、電子基板部は、後端部にコネクタ部を有し、裏板には、コネクタ部の出没を許容する開口が形成されていることを特徴とする。
【００２１】
この電子鍵盤楽器によれば、電子基板部の後端部には、コネクタ部が設けられており、裏板に形成された開口により、このコネクタ部の出没が許容される。それにより、各構成部品の寸法誤差や組付け誤差が生じたとしても、電子基板部の後端部のコネクタ部が、開口に入り込むことができるように構成されているので、口棒部および裏板を、電子基板部の前後に間隙を設けることなく配置することができる。したがって、電子鍵盤楽器を、特に前後方向によりコンパクトに構成することができる。
【００２２】
本発明の請求項５に係る発明は、請求項４に記載の電子鍵盤楽器において、上下方向に貫通する吸気孔が形成された棚板と、複数の鍵を有し、棚板の上方に設けられた鍵盤装置と、棚板の上面に取り付けられ、鍵の押鍵に伴って演奏音を生成するための電子基板と、電子基板に設けられるとともに下端部が吸気孔に挿入され、電子基板から発生する熱を放熱するための放熱板と、を備えていることを特徴とする。
【００２３】
この電子鍵盤楽器によれば、棚板とその上方の鍵盤装置の間には、演奏音を生成するための電子基板が、棚板に取り付けられている。この電子基板には、発生する熱を放熱するための放熱板が設けられており、また、棚板には、上下方向に貫通する吸気孔が形成されていて、放熱板の下端部が、この吸気孔に挿入されている。
【００２４】
このような構成によれば、放熱板の下端部が吸気孔に入り込んだ分、棚板からの放熱板の高さが低くなり、その分、棚板と鍵盤装置の間の間隔を、従来よりも小さくすることができる。それにより、電子鍵盤楽器の高さを低減し、コンパクトに構成することができる。また、電子基板の熱が、放熱板により放熱される際、その周囲の空気が暖められることによって上昇するので、下方から上方への空気の流れが生じ、吸気孔を介して外気が鍵盤楽器内部に取り込まれる。また、放熱板の下端部が、吸気孔に入り込んでいることによって、外気が放熱板の周囲を上方に流れるので、放熱板の熱を効果的に逃がすことができ、放熱効果を向上させることができる。
【００２５】
本発明の請求項６に係る発明は、請求項５に記載の電子鍵盤楽器において、放熱板の下端部は、吸気孔に収容されており、パンチングメタルによって構成され、棚板の下面に前記吸気孔を覆うように取り付けられた蓋部材をさらに備えていることを特徴とする。
【００２６】
この電子鍵盤楽器によれば、棚板の吸気孔が、蓋部材によって覆われることによって、外観が維持される。また、この蓋部材は、パンチングメタルによって構成されている。それにより、放熱板による放熱に伴い、外気は、このパンチングメタルの多数の孔を介して鍵盤楽器内部に取り込まれる。すなわち、蓋部材によって、放熱効果をほぼ維持しながら放熱板を隠すことができ、演奏者などの手が、高温になるおそれのある放熱板に直接、触れてしまうのを防止することができる。
【図面の簡単な説明】
【００２７】
【図１】本発明の第１実施形態による電子ピアノを示す斜視図である。
【図２】図１の電子ピアノの線Ａ−Ａに沿うピアノ本体の断面図であり、譜面台が取り付けられた状態を示している。
【図３】カバー部材を示す斜視図である。
【図４】本発明の第２実施形態による電子ピアノのピアノ本体を示す断面図である。
【図５】放熱板が設けられた電子基板を有する従来の電子鍵盤楽器の一例を示す断面図である。
【発明を実施するための最良の形態】
【００２８】
以下、図面を参照しながら、本発明の実施形態を詳細に説明する。図１および２は、本発明の第１実施形態による電子ピアノ１（電子鍵盤楽器）を示している。この電子ピアノ１は、ピアノ本体２と、このピアノ本体２を載置し、支持する左右のスタンド３，３などを備えている。
【００２９】
ピアノ本体２は、全体として左右方向（図２の奥行方向）に延びており、本体ケース４と、その内部に収容された鍵盤装置１０および電子基板部１１などを有している。本体ケース４は、棚板５と、この棚板５の前端部および後部の上方にそれぞれ配置された口棒部６および後部カバー７と、これらを側方から覆うように設けられた左右の側板８，８などによって構成されており、これらの構成要素５〜７は、いずれも左右の側板８，８の間にわたって延びている。
【００３０】
棚板５は、左右方向に長い平板であり、例えば木質材によって構成され、水平に延びている。この棚板５の前端部および後端部には、それぞれ左右方向に間隔を隔てて複数の長ねじ１５（前後１つずつのみ図示）が設けられている。各長ねじ１５は、棚板５およびその上側のスペーサ１７に下方から通され、前後の連結バー１６ａ，１６ｄのいずれかの下端部にねじ込まれている。鍵盤装置１０は、連結バー１６ａ，１６ｄなどを介して、棚板５の上方に支持されている。
【００３１】
鍵盤装置１０は、８８鍵用のものであり、図２に示すように、シャーシ１２と、シャーシ１２の後端部に回動自在に取り付けられた白鍵１３ａおよび黒鍵１３ｂから成る８８個の鍵１３（図２には白鍵１３ａおよび黒鍵１３ｂの各１つのみ図示）と、鍵１３の押鍵情報を検出するための鍵スイッチ３０などを備えている。また、この鍵盤装置１０のシャーシ１２には、鍵１３ごとにハンマー１４（１つのみ図示）が回動自在に設けられている。
【００３２】
シャーシ１２は、オクターブごとに分割された複数のシャーシ１２（１つのみ図示）で構成され、左右方向に並んだ状態で、４個の連結バー１６ａ〜１６ｄにねじ１９によって互いに固定されている。これらの連結バー１６ａ〜１６ｄは、それぞれ左右方向に延び、前後方向に並ぶように配置されている。これらは、それぞれシャーシ１２の左右方向の全体にわたる長さの細長い１本のアングル状のものであり、例えば鋼板の曲げ加工によって形成されている。また、前後方向に延びる補強用のリブ１８がオクターブごとに配置されており（１つのみ図示）、このリブ１８は、例えば１枚の鋼板を金型を用いて曲げプレス加工することによって形成されている。以上のように連結バー１６ａ〜１６ｄで一体に連結され、リブ１８で補強されたシャーシ１２は、前述した複数の長ねじ１５によって、前後の連結バー１６ａ，１６ｄを介して、棚板５にこれとの間に所定の間隔を存した状態で支持されている。
【００３３】
シャーシ１２の後端部には、鍵１３を支持する鍵用軸孔２１が、中央には、ハンマー１４を支持するハンマー用凹部２２が、さらに、前部および中央には、ハンマー１４が通過する第１および第２ハンマー通過孔２３ａ，２３ｂが、第１ハンマー通過孔２３ａの後ろ側には、鍵１３のストッパ部２４が通過する鍵通過孔２５が、それぞれ鍵１３ごとに形成されている。さらに、シャーシ１２には、第１ハンマー通過孔２３ａの前側で各白鍵１３ａに相当する位置に白鍵用ガイド２６ａが、鍵通過孔２５の後ろ側で各黒鍵１３ｂに相当する位置に黒鍵用ガイド２６ｂが、それぞれ立設されている。
【００３４】
また、シャーシ１２には、鍵１３およびハンマー１４の回動を規制するために、黒鍵用および白鍵用の鍵下限ストッパ２７ａ，２７ｂ、鍵上限ストッパ２８、ハンマー下限ストッパ２９、およびハンマー上限ストッパ３４が設けられている。黒鍵用の鍵下限ストッパ２７ａおよび鍵上限ストッパ２８は、鍵通過孔２５と黒鍵用ガイド２６ｂの間の同じ位置に、シャーシ１２を挟むようにしてシャーシ１２の上面および下面にそれぞれ取り付けられている。また、ハンマー下限ストッパ２９は、前側の連結バー１６ａの下端部に取り付けられ、ハンマー上限ストッパ３４および白鍵用の鍵下限ストッパ２７ｂは、白鍵用ガイド２６ａよりも後ろ側に位置して、シャーシ１２を挟むようにしてシャーシ１２の上面および下面にそれぞれ取り付けられている。これらのストッパ２７ａ，２７ｂ，２８，２９，３４はいずれも、シャーシ１２の左右方向の全体にわたる１本の帯状の緩衝材、例えば、表面にフェルトを貼り付けた発泡ウレタンなどで構成されている。
【００３５】
さらに、鍵スイッチ３０は、シャーシ１２のハンマー用凹部２２よりも後ろ側に設けられている。この鍵スイッチ３０は、シャーシ１２にねじ止めされたプリント基板３１と、その上面に設けられたスイッチ本体３２とを有している。スイッチ本体３２は、シャーシ２の第２ハンマー通過孔２３ｂに下方から臨んでおり、プリント基板３１を介して、後述する演奏音の発音を制御するための電子基板部１１に接続されている。
【００３６】
鍵１３（白鍵１３ａおよび黒鍵１３ｂ）は、例えばＡＳ樹脂の射出成形品で構成されており、両側壁１３ｃ（図２に一方のみ図示）と天壁１３ｄなどを有し、底面が開放した逆Ｕ字形の断面を有している。これらの鍵１３は、互いにわずかな間隙を存した状態で左右方向に並んでおり、それにより鍵盤が構成されている。各鍵１３の両側壁１３ｃの後端部には、内方に突出する左右のピン３３，３３（１つのみ図示）が形成されていて、このピン３３がシャーシ１２の後端部の鍵用軸孔２１に両側から係合することによって、鍵１３がシャーシ１２に回動自在に支持されている。また、鍵１３には、その両側壁１３ｃに前部から下方に延びるフック状のストッパ部２４が形成されている。
【００３７】
一方、ハンマー１４は、鍵１３の下方で前後方向に延びるハンマー本体３５と、ハンマー本体３５の前端部の左右両側部に取り付けられた２枚の質量板３６、３６（図１に片側のもののみ図示）と、ハンマー本体３５の前端部に設けられたストッパ３５ａなどで構成されている。ハンマー本体３５は、ＡＢＳ樹脂の射出成形品などで構成され、その後端部には両側方に突出するピン３７が形成されていて、このピン３７がシャーシ１２のハンマー用凹部２２に係合することによって、ハンマー１４がシャーシ１２に回動自在に支持されている。また、質量板３６は、ハンマー１４にアコースティックピアノと同様のタッチ重さを付与するためのものであり、ハンマー本体３５よりも比重の大きな鋼板などで構成されている。
【００３８】
以上の構成の電子ピアノ１では、演奏者が鍵１３を押鍵すると、鍵１３およびハンマー１４がそれぞれ所定の方向に回動する。具体的には、鍵１３は、そのストッパ部２４がシャーシ１２の鍵通過孔２５を通過しながら、ピン３３を中心として下方（図２の反時計方向）に回動するとともに、白鍵用ガイド２６ａまたは黒鍵用ガイド２６ｂにより、左右方向にぶれないように案内される。また、このときの鍵１３の下方への回動は、その下面が鍵下限ストッパ２７ａまたは２７ｂに当接することによって規制される。
【００３９】
この鍵１３の押鍵に伴い、ハンマー１４は、スイッチ押圧部３８が鍵１３のアクチュエータ部３９で押圧されることによって、ピン３７を中心として上方（図２の時計方向）に回動する。そして、ハンマー１４のストッパ３５ａがハンマー上限ストッパ３４に当接することにより、押鍵時のハンマー１４の回動が終了する。鍵１３の回動もまた、ほぼ同時に終了し、鍵下限ストッパ２７ａまたは２７ｂによりその回動が阻止される。また、ハンマー１４の上方への回動は、ハンマー上限ストッパ３４によって規制される。
【００４０】
また、このハンマー１４が、所定の角度まで回動したときに、そのスイッチ押圧部３８が鍵スイッチ３０のスイッチ本体３２を押下し、オン動作させる。これにより、鍵３の押鍵情報が検出され、その検出結果、および後述する操作盤４１の複数のスイッチ類４３によって設定された演奏機能に応じて、電子基板部１１により、スピーカに放音させるための演奏音が生成される。
【００４１】
本体ケース４の口棒部６は、鍵盤装置１０の前方に配置されており、口棒４０および操作盤取付けバー４１などによって構成されている。口棒４０は、例えば木質材によって構成され、その後端部のほぼ下半分には、左右方向にわたって延びる切欠き４０ａが形成されており、この切欠き４０ａの垂直に延びる取付け面４０ｂに、操作盤取付けバー４１が取り付けられている。
【００４２】
操作盤取付けバー４１は、例えば１枚の鋼板を曲げ加工することによって所定の形状に形成されており、後述するスイッチ類４３を取り付けるための操作盤４１ａを有している。また、この操作盤取付けバー４１は、口棒４０および棚板５の双方に取り付けられており、口棒４０および棚板５に取り付けられた状態では、切欠き４０ａの取付け面４０ｂから口棒４０の底面に沿って延び、口棒４０の前面よりも後方で下方に屈曲している。それにより、操作盤４１ａがほぼ鉛直に延びており、その下端部において後方にさらに屈曲することにより、操作盤取付けバー４１は、棚板５の前端部の下面に沿うように延びている。このような操作盤取付けバー４１は、口棒８には、後方から複数のねじ４２（１つのみ図示）が取付け面４０ｂにねじ込まれることによって固定され、棚板５には、前述した棚板５に連結バー１６ａを連結するための前端部の複数の長ねじ１５と棚板５との間に挟まれた状態で、長ねじ１５がねじ込まれることによって固定されている。また、この操作盤取付けバー４１の垂直に延びる操作盤４１ａには、スイッチ類４３用の複数のスイッチ孔４１ｂが形成されている。
【００４３】
電子基板部１１は、棚板５の左端部に設けられている。この電子基板部１１は、棚板５と鍵盤装置１０の間の空間に配置されており、棚板５の上面に取付け金具５０を介して取り付けられている。また、電子基板部１１は、マイクロコンピュータなどによって構成されたメイン基板や、音源・アンプ用の基板などを統合した単一の電子基板５１を有しており、この電子基板５１は、口棒部６の操作盤４１ａから後述する裏板６３の間にわたって延びている。
【００４４】
また、電子基板５１の前端部には、スイッチ類４３を取り付けるためのスイッチ用ジャック本体５２が一体に設けられており、このスイッチ用ジャック本体５２は、前述した操作盤取付けバー４１の操作盤４１ａの後方に配置されていて、スイッチ用ジャック本体５２には、複数のスイッチ類４３が、前方に突出するように設けられている。前述した操作盤４１ａの複数のスイッチ孔４１ｂは、スイッチ類４３に対応する位置に形成されており、スイッチ類４３は、これらのスイッチ孔４１ｂを介して操作盤４１ａよりも前方に突出している。このような複数のスイッチ類４３は、演奏者などによって操作されることにより、電源のＯＮ／ＯＦＦを切り換えたり、演奏音の音色、音量およびリズムなどを変化させるなどの所定の演奏機能を設定したりするためのものである。
【００４５】
また、電子基板５２の後端部には、コネクタ部５３が設けられており、このコネクタ部５３は、電子基板５２の上面に取り付けられ、電源コードやペダル（ともに図示せず）を接続するための複数のジャック５４ａ（１つのみ図示）を有するジャック本体５４、およびこのジャック本体５４を後方から覆うカバー部材５５を有している。また、例えば、ジャック５４ａにペダルが接続され、ペダルが踏み込まれている場合には、ペダル効果が付与された演奏音が生成される。
【００４６】
カバー部材５５は、図３に示すように、例えば、所定の形状の鋼板を折り曲げることによって構成されており、鉛直に延びる露出部５５ａと、この露出部５５ａの左右両端部から前方にそれぞれ延びる側板５５ｂ，５５ｂと、左右の側板５５ｂ，５５ｂの下端から外側方にそれぞれ突出する固定部５５ｃ，５５ｃを有している。露出部５５ａの中央には、複数のジャック孔５５ｄが左右方向に並ぶように形成されており、各固定部５５ｄの中央には、前後方向に延びる長孔５５ｅが形成されている。このようなカバー部材５５は、長孔５５ｅを介して棚板５に上方からねじ込まれたねじ５６によって、棚板５に固定されている（図２参照）。すなわち、カバー部材５５は、棚板５への取付け位置を、長孔５５ｅの長さの範囲で前後方向に調整可能になっている。また、カバー部材５５が棚板５に固定された状態では、各ジャック５４ａが、ジャック孔５５ｄに通され、後方に突出している。
【００４７】
また、棚板５と鍵盤装置１０の間の空間には、例えば２つのスピーカ（図示せず）が設けられている。棚板５の後端部には、２つの放音孔（図示せず）が、電子基板部１１よりも右側の位置に左右方向に所定の間隔を存して並ぶとともに、上下方向に貫通するように形成されており、スピーカは、放音孔を上方から覆うように配置され、棚板５に固定されている。それにより、各スピーカの放音面は、下方に向かっている。また、スピーカは、前述した電子基板部１１に接続されており、鍵１３の押鍵に伴い、電子基板部１１によって生成された演奏音をその放音面から放音する。
【００４８】
本体ケース４の後部カバー７は、鍵盤装置１０の後部の上方から棚板５の後方にわたって設けられており、前板６１，天板６２および裏板６３（壁板）などを有していて、これらは、例えば木質材によって構成されている。天板６２は、鍵盤装置１０の後部の上方に水平に延びており、鍵盤装置１０の後部を上方から覆っている。この天板６２の中央には、譜面台挿入溝６２ａが形成されている。この譜面台挿入溝６２ａは、後述する譜面台６６を取り付けるためのものであり、上下方向に貫通するとともに左右方向に延びている。また、天板６２の上面には、
譜面台挿入溝６２ａの前方の位置に、左右方向に延びる譜面台ストッパ６９が取り付けられている。譜面台ストッパ６９は、天板の上面から突出しており、譜面台６６に立て掛けられた譜面の下端部を係止し、その前方への移動を阻止することにより、立て掛けられた状態に維持するためのものである。
【００４９】
前板６１は、天板６２の前端部においてこれに接合されており、鍵１３よりもすぐ上方の位置まで下方に延びている。また、裏板６３は、天板６２の後端部においてこれに接合されており、下方に、すなわち上下方向および左右方向に延びており、その下面が、棚板５の下面とほぼ面一になっている。以上のような後部カバー７は、例えば、所定のサイズに加工された板材に、その厚さとほぼ同じ深さ且つ断面三角形の２つの切込みを所定の位置に互いに平行に形成し、折り曲げることによって作製される。
【００５０】
裏板６３は、前述した口棒部６の操作盤４１ａとの間に所定の間隔を隔てた位置、すなわち、前述した電子基板部１１の後端部付近に配置されており、また、棚板５の前後方向の長さは、操作盤４１ａと裏板６３の間の所定の間隔よりも若干、短く設定されていて、それにより、棚板５と裏板６３の間には若干の間隙が生じている。また、裏板６３には、前述した電子基板部１１のコネクタ部５３に応じた位置に、下方に開放する開口６３ａが形成されている。この開口６３ａは、カバー部材５５の形状に合わせて形成されており、それにより、カバー部材５５の露出部５５ａがこの開口６３ａを塞ぎ、その後面のみが露出した状態で、コネクタ部５３が出没することが可能になっている。
【００５１】
天板６２の下方には、前述した譜面台挿入溝６２ａに挿入された譜面台６６を支持するための譜面台受け６４が設けられている。この譜面台受け６４は、断面矩形のブロック状のものであり、その長さが、前述した譜面台挿入溝６２ａの長さよりも若干、大きく設定され、左右方向に延びている。また、その上面および後面が、天板６２の下面および裏板６３の前面にそれぞれ面接触した状態で、両者６２，６３に接着されている。また、譜面台受け６４の上面には、譜面台挿入溝６２ａに応じた位置に、譜面台支持溝６４ａが形成されており、この譜面台支持溝６４ａは、後述する譜面台６６を、後方に傾斜した状態で支持するための所定の断面形状を有している（図２参照）。
【００５２】
また、前板６１と天板６２との接合部には、その接合を補強するための複数の接合補強部材６５（１つのみ図示）が取り付けられている。これらの接合補強部材６５は、左右方向に間隔を隔てて配置されており、両者６１，６２に接着されている。
【００５３】
図１に示すように、譜面台６６は、譜面を立て掛けた状態で支持するための板状の譜面支持部６７、およびこの譜面支持部６６から下方に延びる取付け部６８によって構成されており、取付け部６８が、前述した譜面台挿入溝６２ａに挿入される。この状態では、取付け部６８が、譜面台挿入溝６２ａを通って譜面台受け６４の譜面台支持溝６４ａに挿入され、その底面まで達する（図２参照）。これにより、譜面台６６は、譜面台支持溝６４ａによって支持され、後方に所定の角度で傾斜した状態で、ピアノ本体２に取り付けられる。このような譜面台６６に立て掛けられた譜面は、天板６２の譜面ストッパ６９によって、下端部の前方への移動が阻止されるとともに、譜面台支持部６７によって後方への倒れが阻止されることによって、演奏者による閲覧が可能な状態で、天板２の上面に支持される。
【００５４】
以上の構成の電子ピアノ１によれば、天板６２および裏板６３の接合の補強と、取り付けられた譜面台６６の支持が、譜面台受け６４によって行われている。すなわち、接合の補強部材および譜面台６６の支持部としての役割を、単一の譜面台受け６４が兼ねていることにより、これらを別個に設ける場合よりも、部品点数および組立て工数を削減することができ、製造コストを削減することができる。
【００５５】
また、譜面台受け６４は、天板６２および壁部材６３の双方に面接触した状態で接着されるとともに、左右方向に延びているので、天板６２と壁板６３との接合強度、および譜面台６６の支持強度を十分に向上させることができる。さらに、このような十分な接合強度および支持強度が得られる結果、譜面台受け６４の前後方向の長さが短く設定することができ、それに応じて天板６２の前後方向の長さもまた、最小限に設定されている。したがって、本体ケース４、ひいては電子ピアノ１のピアノ本体２をコンパクトに構成することができる。
【００５６】
また、棚板５の前後方向の長さが、口棒部６の操作盤４１ａおよび裏板６３の間の間隔よりも小さいことにより、これらを組み立てたときに、棚板５と裏板６３との間に間隙が確保されている。したがって、口棒部６、裏板６３および棚板５の寸法に誤差が生じたり、これらを組み立てる際に組付け誤差が生じたりしたとしても、上述した間隙により、誤差を吸収することができる。また、電子基板部１１が単一のものであるので、例えば、複数の基板を設けた場合と異なり、基板間を接続するための配線を省略することができ、その分、製造コストを削減することができる。
【００５７】
また、口棒部６が棚板５に固定されていることにより、各構成部品の寸法誤差や組付け誤差は、裏板６３と棚板５の間の間隙によって吸収される。したがって、演奏者などの目に触れやすい前側の口棒部６付近を、隙間なく構成することができるので、電子ピアノ１の外観を維持することができる。
【００５８】
また、電子基板部１１の後端部には、コネクタ部５３が設けられており、裏板６３に形成された開口６３ａにより、このコネクタ部６３の出没が許容される。それにより、各構成部品の寸法誤差や組付け誤差が生じたとしても、電子基板部１１の後端部のコネクタ部５３が、開口６３ａに入り込むことができるように構成されているので、口棒部６および裏板６３を、電子基板部１１の前後に間隙をほぼ設けることなく配置することができる。したがって、電子ピアノ１を、特に前後方向によりコンパクトに構成することができる。
【００５９】
図４は、本発明の第２実施形態による電子ピアノ７０（電子鍵盤楽器）を示している。この電子ピアノ７０は、基本的には、前述した第１実施形態の電子ピアノ１とほぼ同様の構成を有しているので、以下、互いに共通する構成要素については同一の符号を用い、電子ピアノ１との相違点を中心として説明する。
【００６０】
第１実施形態では、電子基板部１１が、前後の口棒部６および裏板６３の間にわたって延びる単一の電子基板５１で構成されているのに対し、本実施形態の電子基板部７１は、メイン基板７１ａなどと、これとは別個に設けたアンプ用基板７１ｂ（電子基板）によって構成されており、これらは、前後方向に並び、取付け金具７２ａ，７２ｂによって、棚板５の上面にそれぞれ固定されている。
【００６１】
アンプ用基板７１ｂの前端部には、発生する熱を放熱するための放熱板７３が取り付けられている。放熱板７３は、例えば熱伝導率の高い金属によって構成されており、アンプ用基板７１ｂの上下両側に延びるとともにアンプ用基板７１ｂのアンプ用ＩＣ７１ｃが密着して貼り付けられた基部板７３ａと、この基部板７３ａから前方に突出するとともに左右方向に並設された多数のフィン７３ｂ（１つのみ図示）によって構成されており、これらのフィン７３ｂにより、放熱板７３全体の表面積を大きくしている。
【００６２】
また、棚板５には、上述した放熱板７３の真下の位置に吸気孔５ａが形成されている。この吸気孔５ａは、放熱板７３の断面形状よりもやや大きいとともに、棚板５を上下方向に貫通しており、また、棚板５の下面には、吸気孔５ａを覆うように蓋部材７４が取り付けられている。この蓋部材７４は、パンチングメタルによって構成されており、吸気孔５ａの周囲に形成された凹部５ｂに嵌め込まれた状態で、棚板５に固定されていて、それにより、棚板５の下面から突出することなくこれと面一になっている。
【００６３】
前述した放熱板７３は、このような吸気孔５ａに下端部が入り込み、下方の蓋部材７４および吸気孔５ａとの間にそれぞれ間隙が設けられた状態で、アンプ用基盤７１ａに取り付けられている。
【００６４】
このような電子ピアノ７０が演奏されると、電子基板部７１による演奏音の生成に伴い、特に、アンプ用基板７１ｂから多くの熱が発生する。その際、そのアンプ用ＩＣ７１ｂから発生した熱は、これが貼り付けられた放熱板７３に伝達される。放熱板７３は、高い熱伝導率を有していることにより、その温度が、基板７３ａおよび多数のフィン７３ｂを含めて全体的に上昇する。これにより、並設された多数のフィン７３ｂの間および周囲の空気が暖められることにより上方に移動し、ピアノ本体７５の外部に排出されるのに伴い、下方の吸気孔５ａから外気がピアノ本体７５内に導入される。このような下方から上方への空気の流れが形成されることにより、アンプ用基板７１ｂから発生する熱が効果的に放熱される。
【００６５】
以上の構成の電子ピアノ７０によれば、放熱板７３の下端部が吸気孔５ａに入り込んだ分、棚板５からの放熱板７３の高さが低くなり、その分、棚板５と鍵盤装置１０の間の間隔を、従来よりも小さくすることができる。それにより、電子ピアノ７０のピアノ本体７５の高さが低減されており、よりコンパクトに構成することができる。また、アンプ用基板７１ｂの熱が、放熱板７３により放熱される際、その周囲の空気が暖められることによって上昇するので、下方から上方への空気の流れが生じ、吸気孔５ａを介して外気がピアノ本体７５内部に取り込まれる。また、放熱板７３の下端部が、吸気孔５ａに入り込んでいることによって、外気が放熱板７３の周囲を上方に流れるので、放熱板７３の熱を効果的に逃がすことができ、放熱効果を向上させることができる。
【００６６】
また、棚板５の吸気孔５ａが、蓋部材７４によって覆われることによって、電子ピアノ７０の外観が維持される。また、この蓋部材７４は、パンチングメタルによって構成されていることより、放熱板７３による放熱に伴い、外気は、このパンチングメタルの多数の孔を介してピアノ本体７５内部に取り込まれる。すなわち、蓋部材７４によって、放熱効果をほぼ維持しながら放熱板７３を隠すことができ、演奏者などの手が、高温になるおそれのある放熱板７３に直接、触れてしまうのを防止することができる。
【００６７】
なお、本発明は、上述した各実施形態に限定されることなく、種々の態様で実施することができる。例えば、第１実施形態では、譜面台受け６４を、天板６２および裏板６３に面接触させることにより、両者６２，６３の接合を補強する例として説明したが、これに限定されることなく、譜面台取付け６４を前方の接合補強部材６５と一体に構成し、天板６２および前板６１に面接触させることにより、両者６２，６１の接合を補強するとともに、接合補強部材６５を、天板６２と裏板６３の間に設けてもよい。また、譜面台受け６４を、前板６１と裏板６３の間にわたって延びるように形成し、これら３者６１〜６３のそれぞれに面接触させることにより、天板６２と、前板６１および裏板６３との接合を、単一の譜面台受けによって補強するようにしてもよい。
【００６８】
また、各実施形態は、本発明を電子ピアノに適用した例であるが、他のタイプの電子鍵盤楽器に適用してもよいことはもちろんである。その他、細部の構成を、本発明の趣旨の範囲内で適宜、変更することが可能である。
【符号の説明】
【００６９】
１    電子ピアノ（電子鍵盤楽器）
４    本体ケース
５    棚板
５ａ  吸気孔
６    口棒部
１０    鍵盤装置
１１    電子基板部
１３    鍵
５３    コネクタ部
６２    天板
６２ａ  譜面台挿入溝
６３    裏板（壁板）
６３ａ  開口
６４    譜面台受け
６４ａ  譜面台支持溝
６６    譜面台
７０    電子ピアノ（電子鍵盤楽器）
７１ａ  アンプ用基板（電子基板）
７３    放熱板
７４    蓋部材
【図１】
2005284146.tif 000003
【図２】
2005284146.tif 000004
【図３】
2005284146.tif 000005
【図４】
2005284146.tif 000006
【図５】
2005284146.tif 000007